(57)【特許請求の範囲】
【請求項１】
内部の配管に温水を循環させることにより、その表面を暖めるようにした温水暖房パネルを使用して、部屋内の暖房を行うようにした方法であって、
前記部屋を構成する壁内に前記温水のための配管を予め埋設しておくとともに、壁側接続具を、前記壁の表面あるいは壁に形成した配管ボックス内に露出する前方部分となる本体と、壁内に完全に埋設されることになる後方部分と、これらの後方部分及び本体を連結する部分とにより構成して、後方部分及び連結部分を前記本体より小さくすることによって本体の背面側に空間を形成しておいて、
前記壁内の配管を、前記壁内に埋設した前記壁側接続具の後方部分に接続する一方、
前記温水暖房パネルの配管に接続してあるパネル側接続具の連結突起の先端を前記壁側接続具の連結穴に挿入してから前記壁側接続具の空間内に突出させることにより、前記パネル側接続具を前壁側接続具に接続して、前記壁内の配管と前記温水暖房パネル内の配管とを連通させ、
前記壁内の配管から前記温水暖房パネルに温水を供給することにより、前記温水暖房パネルを配置した部屋の暖房を行うようにしたことを特徴とする温水暖房パネルを使用した暖房方法。
【請求項２】
温水暖房パネルにより暖房を行うべき部屋を構成している壁内に埋設されて、この壁内に埋設してある温水のための配管に接続される壁側接続具であって、
前記壁側接続具を、前記壁の表面あるいは壁に形成した配管ボックス内に露出する前方部分となる本体と、前記壁内に完全に埋設されることになる後方部分と、これらの後方部分及び本体を連結する部分とにより構成するとともに、前記後方部分及び連結部分を前記本体より小さくすることにより本体の背面側に空間を形成したものとして、
前記本体に、内端が前記壁内の配管に接続されて、外端が部屋側面にて露出する接続穴と、これらの接続穴と平行で内端側に空間を有する状態で形成されるとともに、外端側が部屋側面にて露出する連結穴とを設けて、
これらの連結穴に前記温水暖房パネル側に接続されているパネル側接続具の連結突起を挿入連結したとき、この連結突起の先端を前記壁側接続具の前記空間内に突出させて拡開させることにより前記壁側接続具の背面に係合させるとともに、当該壁側接続具の前記接続穴が前記パネル側接続具の接続パイプ内に連通して、前記温水暖房パネル内の配管と壁内の配管とを接続し得るようにしたことを特徴とする温水暖房パネルを使用した暖房を行うための壁側接続具。
【請求項３】
部屋の暖房を行うための温水暖房パネル内の配管に接続されて、前記部屋を構成している壁内に埋設してある温水のための配管に接続されて当該壁内に埋設してある壁側接続具に接続されるパネル側接続具であって、
このパネル側接続具の本体に、内端が前記温水暖房パネル内の配管に接続されて、外端が突出する接続パイプと、これらの接続パイプと平行で先端が突出する連結突起とを設けて、
これらの連結突起を前記壁側接続具の連結穴に挿入連結したときに、当該パネル側接続具の接続パイプが前記壁側接続具の接続穴内に連通して、前記温水暖房パネル内の配管と壁内の配管とを接続し得るようにしたことを特徴とする温水暖房パネルを使用した暖房を行うための壁側接続具。
【請求項４】
前記壁側接続具の本体の背面側に係止段部を形成して、この係止段部に、前記連結突起の先端中心部に切れ込み空間を入れることにより形成した弾性部の外周の係合部が係合するようにしたことを特徴とする請求項２に記載の壁側接続具。
【請求項５】
前記連結突起の先端中心部に切れ込み空間を入れることにより弾性部を形成し、これらの弾性部の外周に、前記壁側接続具の本体の背面側に形成してある係止段部に係合する係合部を形成したことを特徴とする請求項３に記載の接続具。
【請求項６】
前記係合部は、前記連結突起の軸線に対して、鋭角の傾斜面によって形成したものであることを特徴とする請求項４または請求項５に記載の接続具。
【請求項７】
前記壁側接続具の本体の、前記パネル側接続具に向かう面に、尖端器具が挿入できる縦溝を形成したことを特徴とする請求項２、請求項４、または請求項６に記載の壁側接続具。
【請求項８】
前記パネル側接続具の本体の、前記壁側接続具に向かう面に、尖端器具が挿入できる縦溝を形成したことを特徴とする請求項３、請求項５、または請求項６に記載のパネル側接続具。
【発明の詳細な説明】
【０００１】
【発明の属する技術分野】
本発明は、温水暖房パネルを使用した暖房方法、及びそのための接続具に関し、特に建物の壁内に予め温水用の配管を施しておく場合に適した温水暖房パネルを使用した暖房方法、及びそのための接続具に関するものである。
【０００２】
【従来の技術】
例えば、図１に示すような床の暖房は、床仕上材やその上のカーペット等の下側に放熱パネルを設置して、この放熱パネルからの熱及び輻射熱によって室内を暖める暖房方式であり、温風暖房のように気流で室内にほこりが舞うこともないため衛生的であり、またストーブのように、排気ガスが発生することも無いため、換気が不必要で気分が悪くなることもない。しかも、放熱パネルを使用した暖房方式は、ストーブのような高温熱源が室内にないため、幼児がいる家庭でもやけど等の自己の心配なしに使用できる利点がある。
【０００３】
床暖房の形式は、温水式と電気式とに大別される。温水式床暖房は、パネル内に温水配管を設置し、ボイラー等で形成した温水という熱媒を配管内に流すことでパネルを加熱しているものである。一方、電気式床暖房では、電熱線をパネル内に配置し、通電により抵抗熱でパネルを加熱している。両者のランニングコストを比較すると、高い電気代を使用する電気式はコストが高くなりがちであり、温水式の方が低コストである。しかし、施工性の面では、温水式は制約が多く、床面の概ね全面にわたって１枚または複数枚の温水暖房パネル（放熱パネル）を設置し、これらの配管を接続し、さらにその上に仕上材を設置する、という複数の熟練を有する工事を経て、ようやく床暖房設備が完成する。この施工の難しさは、温水式の床暖房設備を設置する上でのコスト高を招いていて、電気式のそれに比較して普及が遅れている一つの原因ともなっているのである。
【０００４】
また、温水式の床暖房設備は、その給湯を行う配管を敷設する作業が大変なものとなっている。つまり、床面の略全体に配管を施さないと、熱媒である湯の回りが十分とならないから、その配管作業ば別途行わなければならない。この点が電気式のそれに対する最大のデメリットであったのである。
【０００５】
このため、出願人は、例えば特願２０００−１４６５１２号で、温水式の暖房装置を完全にパネル化できて、簡単に短時間内で安価に施工できるようにすることを目的として、図１１及び図１２に示すような温水暖房パネル４０を既に提案してきている。この温水暖房パネル４０は、少なくとも二つの部分に収納部４３を形成し、この収納部４３内に各部に引き出せるだけの長さを有する可撓性配管４１ａを引き出し自在に収納するとともに、この可撓性配管４１ａに接続された配管４１をパネル本体４２内に収納し、さらに各可撓性配管４１ａの外端にパネル側接続具２０等の配管接続具を接続したものである。
【０００６】
ところが、このような温水暖房パネル４０も、パネル側接続具２０等の接続具が接続されるべき先がないと、その効果を十分発揮することができないことは、当然である。つまり、当該温水暖房パネル４０を設置する部屋を構成している壁の内側に、ボイラー等の熱源からの給湯が行えなければ、当該温水暖房パネル４０は使用することができないのである。また、仮に、ボイラー等の熱源からの給湯管が暖房を行うべき部屋内まできていたとしても、これに温水暖房パネル４０側の配管４１が簡単かつ確実に接続される接続具がなければならない。
【０００７】
そして、配管の接続作業を行うに当たって重要なことは、パネル内に往管と復管とがある場合に、その位置関係を間違えないようにすることであり、各管の接続側端部に傷を付けないようにすることである。できれば、接続具側で、施工のやり直しが簡単に行えるようにしておくことである。
【０００８】
そこで、本発明者等は、パネル化された温水式暖房パネルを使用して部屋の暖房を簡単に行えるようにするにはどうしたらよいか、について種々検討を重ねてきた結果、本発明を完成したのである。
【０００９】
【発明が解決しようとする課題】
本発明は、以上の実状に鑑みてなされたもので、その解決しようとする課題は、パネル化した温水暖房パネル４０を使用した暖房を、簡単に行えるようにすることである。
【００１０】
すなわち、まず、請求項１に係る発明の目的とするところは、温水を熱媒として使用する暖房を簡単に行えるようにすることである。
【００１１】
また、請求項２〜請求項８に係る発明の目的とするところは、壁内の配管３１と温水暖房パネル４０内の配管４１との接続を簡単に行うことのできる接続具を、簡単な構造によって提供することにあり、特に請求項４〜請求項８に係る発明の目的とするところは、接続のやり直しも簡単に行えるようにした接続具を提供することにある。
【００１２】
【課題を解決するための手段】
以上の課題を解決するために、請求項１に係る発明の採った手段は、後述する実施の形態の説明中において使用する符号を付して説明すると、
「内部の配管４１に温水を循環させることにより、その表面を暖めるようにした温水暖房パネル４０を使用して、部屋内の暖房を行うようにした方法であって、
前記部屋を構成する壁３０内に前記温水のための配管３１を予め埋設しておくとともに、壁側接続具１０を、壁３０の表面あるいは壁３０に形成した配管ボックス内に露出する前方部分となる本体１１と、壁３０内に完全に埋設されることになる後方部分と、これらの後方部分及び本体１１を連結する部分とにより構成して、後方部分及び連結部分を本体１１より小さくすることによって本体１１の背面側に空間１６を形成しておいて、
壁３０内の配管３１を、壁３０内に埋設した壁側接続具１０の後方部分に接続する一方、
温水暖房パネル４０の配管４１に接続してあるパネル側接続具２０の連結突起２２の先端を壁側接続具１０の連結穴１２に挿入してから壁側接続具１０の空間１６内に突出させることにより、パネル側接続具２０を前壁側接続具１０に接続して、壁３０内の配管３１と温水暖房パネル４０内の配管４１とを連通させて、
壁３０内の配管３１から温水暖房パネル４０に温水を供給することにより、温水暖房パネル４０を配置した部屋の暖房を行うようにしたことを特徴とする温水暖房パネル４０を使用した暖房方法」
である。
【００１３】
すなわち、この請求項１に係る暖房方法は、まず、図２に示すように、ボイラー５０からの給湯を行ったり、放熱後の湯水をボイラー５０に戻すための配管３１を、部屋を構成している壁３０内に予め埋設しておき、これらの壁３０に、同じく壁３０内に埋設した壁側接続具１０を接続しておく。一方、この壁側接続具１０に接続されるべきパネル側接続具２０を温水暖房パネル４０側に接続しておく。そして、この請求項１に係る暖房方法では、壁側接続具１０を、壁３０の表面あるいは壁３０に形成した配管ボックス内に露出する前方部分となる本体１１と、壁３０内に完全に埋設されることになる後方部分と、これらの後方部分及び本体１１を連結する部分とにより構成して、後方部分及び連結部分を本体１１より小さくすることによって本体１１の背面側に空間１６を形成しておくものである。
【００１４】
また、この請求項１に係る暖房方法は、温水暖房パネル４０に接続してあるパネル側接続具２０を、壁３０内に埋設してあってその本体１１が部屋内に露出している壁側接続具１０に接続するだけで、ボイラー５０からの給湯を壁側接続具１０及びパネル側接続具２０を介して温水暖房パネル４０内の配管４１に対して行えるようにしたのである。
【００１５】
さらに、この暖房方法では、壁３０内の配管３１から湯の供給を受けるか受けないかは自由に選択できる（温水暖房パネル４０を使用しなければよい）ものであり、供給を受ける場合には、各配管３１が壁３０の中であり、かつ壁側接続具１０によって部屋内に直ぐ受けることができるのであるから、暖房設備工事を簡単に行えるのである。しかも、ボイラー５からの配管３１を部屋や床面上に露出させることもないのである。
従って、この請求項１の暖房方法によれば、熱媒が温水であるパネル化した温水暖房パネル４０を使用した暖房を簡単に行えるのである。
【００１６】
また、以上の課題を解決するために、請求項２に係る発明の採った手段は、同様に、
「温水暖房パネル４０により暖房を行うべき部屋を構成している壁３０内に埋設されて、この壁３０内に埋設してある温水のための配管３１に接続される壁側接続具１０であって、
壁側接続具１０を、壁３０の表面あるいは壁３０に形成した配管ボックス内に露出する前方部分となる本体１１と、壁３０内に完全に埋設されることになる後方部分１０ａと、これらの後方部分１０ａ及び本体１１を連結する部分１０ｂとにより構成するとともに、後方部分１０ａ及び連結部分１０ｂを本体１１より小さくすることにより本体１１の背面側に空間１６を形成したものとして、
本体１１に、内端が壁３０内の配管３１に接続されて、外端が部屋側面にて露出する接続穴１３と、これらの接続穴１３と平行で内端側に空間１６を有する状態で形成されるとともに、外端側が部屋側面にて露出する連結穴１２とを設けて、
これらの連結穴１２に温水暖房パネル４０側に接続されているパネル側接続具２０の連結突起２２を挿入連結したとき、この連結突起２２の先端を壁側接続具１０の空間１６内に突出させて拡開させることにより壁側接続具１０の背面に係合させるとともに、当該壁側接続具１０の接続穴１３がパネル側接続具２０の接続パイプ２３内に連通して、温水暖房パネル４０内の配管４１と壁３０内の配管３１とを接続し得るようにしたことを特徴とする温水暖房パネル４０を使用した暖房を行うための壁側接続具１０」
である。
【００１７】
すなわち、この請求項２に係る壁側接続具１０は、上記請求項１の暖房方法を実施するにあたって使用されるものであって、後述する請求項３のパネル側接続具２０とサブコンビネーションの関係にあるものである。そして、後述する実施形態の壁側接続具１０は、図２に示すように、その本体１１が部屋を構成している壁３０の表面に露出することになるものであり、図３〜図９に示すように、この本体１１に、それぞれ２本の連結穴１２及び接続穴１３を互いに平行となるように設けたものである。勿論、これらの連結穴１２及び接続穴１３の外端は、部屋側に開口することになるものである。なお、当該壁側接続具１０の本体１１には、図示しないコックが設けてあって、各接続穴１３の開閉を行えるようにしてある。
【００１８】
この壁側接続具１０の各連結穴１２は、後述するパネル側接続具２０側の連結突起２２が挿入されることにより、当該壁側接続具１０の本体１１と、パネル側接続具２０側の本体２１とを一体化するものである。これら各連結穴１２の内端側には、例えば図４に示すように、空間１６が形成してあって、この空間１６内にはパネル側接続具２０側の連結突起２２の先端が配置されることになるものである。
【００１９】
また、各接続穴１３は、その内端に、壁３０内に埋設してある配管３１（後述する実施形態ではボイラー５０からの往管とボイラー５０への復管との２本がある）が予め接続されるものであり、外端は、本体１１表面にて、電気コンセントの差込口のように開口するものである。
【００２０】
従って、この請求項２の壁側接続具１０は、部屋の暖房を行うための温水暖房パネル４０内の配管４１に対する給湯及び使用水の循環を、温水暖房パネル４０側に接続される、あるいは接続してあるパネル側接続具２０を各連結穴１２及び接続穴１３に単に差し込み接続するだけで行えるのである。
【００２１】
さらに、上記課題を解決するために、請求項３に係る発明の採った手段は、同様に、
「部屋の暖房を行うための温水暖房パネル４０内の配管４１に接続されて、部屋を構成している壁３０内に埋設してある温水のための配管３１に接続されて当該壁３０内に埋設してある壁側接続具１０に接続されるパネル側接続具２０であって、
このパネル側接続具２０の本体２１に、内端が温水暖房パネル４０内の配管４１に接続されて、外端が突出する接続パイプ２３と、これらの接続パイプ２３と平行で先端が突出する連結突起２２とを設けて、
これらの連結突起２２を壁側接続具１０の連結穴１２に挿入連結したときに、当該パネル側接続具２０の接続パイプ２３が壁側接続具１０の接続穴１３内に連通して、温水暖房パネル４０内の配管４１と壁３０内の配管３１とを接続し得るようにしたことを特徴とする温水暖房パネル４０を使用した暖房を行うための壁側接続具１０」
である。
【００２２】
すなわち、この請求項３に係るパネル側接続具２０は、上記請求項２の壁側接続具１０とサブコンビネーションの関係にあるものであり、この壁側接続具１０の部屋内に露出している本体１１に開口している連結穴１２及び接続穴１３にそれぞれ差し込まれる連結突起２２及び接続パイプ２３を、図３にも示すように、それぞれ２本づつ有しているものである。また、このパネル側接続具２０は、その各接続パイプ２３を、図１１に示したような温水暖房パネル４０内の配管４１に接続しておかれるものであり、特に実施形態のものでは、施工前には配管４１の先の可撓性配管４１ａに接続しておいて、図１１に示したように、温水暖房パネル４０の収納部４３内に収納されておかれるものである。
【００２３】
そして、このパネル側接続具２０は、これを使用する時には、温水暖房パネル４０の収納部４３内から引き出して、前述したように、その連結突起２２や接続パイプ２３を、壁側接続具１０側の連結穴１２及び接続穴１３にそれぞれ差し込むことにより、ボイラー５０からの温水暖房パネル４０内への給湯を可能にするものである。
【００２４】
従って、この請求項３のパネル側接続具２０は、部屋の暖房を行うための温水暖房パネル４０内の配管４１に対する給湯及び使用水の循環を、部屋を構成している壁３０に露出している壁側接続具１０に単に差し込み接続するだけで行えるのである。
【００２５】
上記課題を解決するために、請求項４に係る発明の採った手段は、上記請求項２に係る壁側接続具１０について、
「壁側接続具１０の本体１１の背面側に係止段部１４を形成して、この係止段部１４に、連結突起２２の先端中心部に切れ込み空間２２ａを入れることにより形成した弾性部２２ｂの外周の係合部２４が係合するようにしたこと」
である。
【００２６】
すなわち、この請求項４に係る壁側接続具１０は、各連結穴１２に対するパネル側接続具２０側の連結突起２２の連結を、連結突起２２の単なる差込によって行えるようにするのを具体化したものであり、本体１１の背面側に、パネル側接続具２０側の係合部２４が係合する係止段部１４を形成したものである。
【００２７】
この壁側接続具１０は、その連結穴１２内にパネル側接続具２０側の連結突起２２を差し込んで連結するに当たって、各弾性部２２ｂをすぼめた状態で挿入した連結突起２２の先端が連結穴１２の背面側に突出したとき、この連結突起２２の先端部分の係合部２４が、当該壁側接続具１０の本体１１背面側に形成してある係止段部１４に、図４等に示すように係合するのである。
【００２８】
従って、この請求項４に係る壁側接続具１０は、その連結穴１２内にパネル側接続具２０側の連結突起２２を差し込むという簡単な手段で、その本体１１とパネル側接続具２０側の本体２１との一体化が完了し、その一体化状態は長期間維持されることになるのである。
【００２９】
一方、上記課題を解決するために、請求項５に係る発明の採った手段は、上記請求項３に係るパネル側接続具２０について、
「連結突起２２の先端中心部に切れ込み空間２２ａを入れることにより弾性部２２ｂを形成し、これらの弾性部２２ｂの外周に、壁側接続具１０の本体１１の背面側に形成してある係止段部１４に係合する係合部２４を形成したこと」
である。
【００３０】
すなわち、この請求項５に係るパネル側接続具２０は、各連結突起２２の壁側接続具１０側の連結穴１２に対する連結を、連結突起２２の単なる差込みによって行えるようにするのを具体化したものであり、各連結突起２２の先端部に形成してある係合部２４を壁側接続具１０側の連結穴１２の背面に形成してある係止段部１４に係合し得るようにしたものである。
【００３１】
以上のような連結穴１２に対する差込が行えて、壁側接続具１０側の係止段部１４に対する係合が行えるようにするため、まず、各連結突起２２の先端中心部には切れ込み空間２２ａが入れてある。これにより、連結突起２２の先端部であって切れ込み空間２２ａの両側には、図６に示すように、互いに対向する２本の弾性部２２ｂが形成されることになるのであり、これら両弾性部２２ｂは、これをすぼめることにより、壁側接続具１０側の連結穴１２内に簡単に入る。そのまま連結突起２２を差し込んでいき、連結突起２２の先端が壁側接続具１０側の本体１１背面に確保してある空間１６内に入れば、すぼめられていた各弾性部２２ｂが開き、係合部２４が壁側接続具１０側の係止段部１４に係合するのである。
【００３２】
従って、この請求項５のパネル側接続具２０は、その連結突起２２を壁側接続具１０側の連結穴１２に差し込むという簡単な手段で、その本体２１と壁側接続具１０側の本体１１との一体化が完了し、その一体化状態は長期間維持されることになるのである。
【００３３】
さらに、上記課題を解決するために、請求項６に係る発明の採った手段は、上記請求項４または請求項５に係る接続具１０または２０について、
「係合部２４は、連結突起２２の軸線に対して、鋭角の傾斜面によって形成したものであること」
である。
【００３４】
すなわち、この請求項６に係る接続具は、係止段部１４に係合することになる係合部２４の係合面を連結突起２２の軸線に対して、鋭角の傾斜面によって形成したものであり、その一体化状態を長期間維持できるようにするとともに、この本体２１を強制的に引き抜くことにより、パネル側接続具２０側の本体２１を壁側接続具１０側の本体１１から簡単に外せるようにしたものである。
【００３５】
すなわち、この請求項６の接続具では、互いに一体化してある本体１１から本体２１を強制的に引き抜くと、鋭角な傾斜面となっている各係合部２４が、壁側接続具１０側の係止段部１４から力を受けて、各弾性部２２ｂをその中心に向けてすぼめるように働く。その結果、各係合部２４が壁側接続具１０側の係止段部１４から外れ、互いにすぼまった弾性部２２ｂが壁側接続具１０側の連結穴１２内を通り得るようになるのであり、壁側接続具１０側の連結穴１２内からの連結突起２２の引き抜きが可能になって、パネル側接続具２０側の本体２１の壁側接続具１０からの引き外しが行えることになるのである。
【００３６】
従って、この請求項６の接続具は、一体化されていた両本体１１及び２１の取り外しが簡単に行えるものとなっているのであり、工事のやり直しを簡単に行えるものとなっているのである。このことは、往管と復管との間違いをしたときや、温水暖房パネル４０の配置の仕方を間違えたとき、あるいは温水暖房パネル４０を使用しなくなって取り外したいときなどに非常に有利となる。
【００３７】
さて、上記課題を解決するために、請求項７に係る発明の採った手段は、上記請求項２、請求項４、または請求項６に係る壁側接続具１０について。
【００３８】
「壁側接続具１０の本体１１の、パネル側接続具２０に向かう面に、尖端器具が挿入できる縦溝１５を形成したこと」
である。
【００３９】
すなわち、この請求項７に係る壁側接続具１０は、図３及び図４に示すように、その本体１１の表面側に縦溝１５を設けたものであるが、この縦溝１５内には、マイナスドライバーの先、専用に形成した外し具等の、先端が尖った工具のその先端を差し込めるようにしたものである。
【００４０】
この縦溝１５内に尖端器具を挿入するは、当該壁側接続具１０の本体１１からパネル側接続具２０側の本体２１を取り外したい場合である。つまり、施工時において往管と復管との間違いをした場合や、温水暖房パネル４０の配置の仕方を間違えたとき、あるいは温水暖房パネル４０を使用しなくなって取り外したい場合において、この縦溝１５内に尖端器具を挿入することによって、両本体１１及び２１間への引き離し力を簡単に付与することができるのである。
従って、この請求項７の壁側接続具１０は、その本体１１からの、パネル側接続具２０側の本体２１の取り外しを簡単に行えるのである。
【００４１】
そして、上記課題を解決するために、請求項８に係る発明の採った手段は、上記請求項３、請求項５、または請求項６に係るパネル側接続具２０について、
「パネル側接続具２０の本体２１の、壁側接続具１０に向かう面に、尖端器具が挿入できる縦溝２５を形成したこと」
である。
【００４２】
すなわち、この請求項８に係るパネル側接続具２０は、図３及び図４に示すように、その本体２１の裏面側に縦溝２５を設けたものであるが、この縦溝２５内には、マイナスドライバーの先、専用に形成した外し具等の、先端が尖った工具のその先端を差し込めるようにしたものである。
【００４３】
この縦溝２５内に尖端器具を挿入するは、当該パネル側接続具２０の本体２１から壁側接続具１０側の本体１１を取り外したい場合である。つまり、施工時において往管と復管との間違いをした場合や、温水暖房パネル４０の配置の仕方を間違えたとき、あるいは温水暖房パネル４０を使用しなくなって取り外したい場合において、この縦溝２５内に尖端器具を挿入することによって、両本体１１及び２１間への引き離し力を簡単に付与することができるのである。
従って、この請求項８のパネル側接続具２０は、その本体２１からの、壁側接続具１０側の本体１１の取り外しを簡単に行えるのである。
【００４４】
【発明の実施の形態】
次に、上記のように構成した各請求項に係る発明を、図面に示した実施の形態である壁側接続具１０及びパネル側接続具２０について説明するが、これらの壁側接続具１０及びパネル側接続具２０は、上記各請求項に係る発明を実質的に含むものである。
【００４５】
まず、図１には、本発明に係る暖房方法、壁側接続具１０及びパネル側接続具２０によって床暖房を行った部屋内の様子が示してあり、この部屋を構成している壁３０の一部には既に壁側接続具１０が埋設してある。そして、この壁側接続具１０に対してパネル側接続具２０が差し込んであるが、このパネル側接続具２０は、カーペットの下に施工してある温水暖房パネル４０内の配管４１に接続してある。
【００４６】
この部屋を構成している壁３０内には、図２に示したように、ボイラー５０等の給湯設備からの給湯と、各温水暖房パネル４０からの放熱水とを循環させるための配管３１が埋設してあり、これらの配管３１には、各部屋毎に後述する各接続穴１３にて壁側接続具１０が接続してある。こらの壁側接続具１０の本体１１は、その前面が、図１にも示したように、各部屋内に露出しているものであり、この本体１１にパネル側接続具２０側の本体２１が差し込まれるのである。
【００４７】
さて、各壁側接続具１０は、図３及び図４に示したように、まず、その本体１１内に、内端が壁３０内の配管３１に接続されて、外端が部屋側面にて露出する接続穴１３と、これらの接続穴１３と平行で内端側に空間１６を有する状態で形成されるとともに、外端側が部屋側面にて露出する連結穴１２とを設けたものである。
【００４８】
この壁側接続具１０は、図３に示したように、壁３０の表面あるいは壁３０に形成した配管ボックス内に露出する前方部分となる本体１１と、壁３０内に完全に埋設されることになる後方部分と、これらの後方部分及び本体１１を連結する部分とからなり、後方部分及び連結部分を本体１１より小さくすることによって、前方部分の背面側に、図４に示したような空間１６を形成するものである。また、上記後方部分には、図３に示したように、壁３０内の配管３１が接続されるものであり、その管路は、連結部分から前方部分に至っている。
【００４９】
なお、この本体１１であって各連結穴１２の外側に位置する部分には、図３及び図７に示したように、壁内固定穴１１ａが形成してあり、これらの壁内固定穴１１ａを利用して、当該本体１１は、壁３０に明けた穴、あるいはその中に配置される配管ボックスに固定されるのである。
【００５０】
この本体１１には、図３及び図４に示したように、内側に互いに平行な２本の接続穴１３が形成してあり、これらの接続穴１３は配管３１側に連通することになるものである。また、これら２本の接続穴１３の両側には、これらと平行になる連結穴１２が形成してあり、各連結穴１２の背面側は、前述した空間１６内に開口している。以上の連結穴１２及び接続穴１３は、図３にも示したように、壁３０の表面あるいは壁３０に形成した配管ボックス内に開口しているものである。各連結穴１２の背面側には、図４及び図７に示したように、係止段部１４が形成してあるが、これらの連結穴１２は、後述するパネル側接続具２０側の連結突起２２の先端に形成した係合部２４が係合し易いような傾斜面となっている。
【００５１】
また、この本体１１の前面中央には、図３にも示したように縦溝１５が形成してある。この縦溝１５内には、マイナスドライバーの先、専用に形成した外し具等の、先端が尖った工具のその先端が差し込まれるものであるが、この縦溝１５内に尖端器具を挿入するは、当該壁側接続具１０の本体１１からパネル側接続具２０側の本体２１を取り外したい場合である。つまり、施工時において往管と復管との間違いをした場合や、温水暖房パネル４０の配置の仕方を間違えたとき、あるいは温水暖房パネル４０を使用しなくなって取り外したい場合において、この縦溝１５内に尖端器具を挿入することによって、本体１１及び後述するパネル側接続具２０側の本体２１間への引き離し力を簡単に付与するようにするものである。
【００５２】
以上の壁側接続具１０に接続されるべきパネル側接続具２０は、主として図３に示すように、壁側接続具１０側の本体１１の前面と略同じ形状を有した本体２１と、この本体２１に設けられるそれぞれ２本の連結突起２２及び接続パイプ２３とを有しているものである。
【００５３】
各接続パイプ２３は、前述した壁側接続具１０側の接続穴１３にそれぞれ対向することになるもので、内端が温水暖房パネル４０内の配管４１に接続されていて、外端が温水暖房パネル４０とは反対側に突出するものである。勿論、これら各接続パイプ２３は、壁側接続具１０側の接続穴１３内に挿通されることによって、壁３０内の配管３１に連通することになるものであるから、その外端部には、図４及び図５に示したように、壁側接続具１０側の接続穴１３内に対する挿通を液密的に行うためのパッキング２３ａが設けてある。本実施形態では、これらの接続パイプ２３は、壁側接続具１０側の各接続穴１３に同時に挿通できるような位置に形成してあることは言うまでもない。
【００５４】
また、これらの接続パイプ２３は、図５の（イ）に示したように、本体２１に形成した取付穴内に取り付けられるものであるが、その略中央部分には、段部が形成してある。この接続パイプ２３の段部は、これを取付穴内に挿入したとき、この取付穴内に形成してある段部２６に係止されるものであり、形成した後の接続パイプ２３に止めワッシャ２６ａをはめることにより、その抜け止めがなされるものである。
【００５５】
各連結突起２２は、上記の接続パイプ２３と平行に配置されて本体２１に螺着してあるもので、その先端（各接続パイプ２３側の外端と同じ側の端部）が壁側接続具１０側に向けて突出しているものである。本実施形態の連結突起２２では、図５及び図６に示したように、図示左側部分がネジ部としてあり、反対側部分をこのネジ部より大径としてある。これにより、各連結突起２２は、そのネジ部にて本体２１に螺着したとき、その大径部を常に一定の量で突出させることになるものである。
【００５６】
各連結突起２２の大径部の中心には、図５及び図６に示したように、切れ込み空間２２ａが形成してあり、これによってこの切れ込み空間２２ａの両側には弾性部２２ｂが形成されている。つまり、各弾性部２２ｂは、切れ込み空間２２ａの存在によって文字通り弾力性を有したものとなっているのであり、両弾性部２２ｂを指等でつまんだとき、「すぼませる」ことができるものとなっているものである。勿論、指等の力を抜けば、これら各弾性部２２ｂは、図５等に示した状態に復帰することになるものである。なお、実施形態の切れ込み空間２２ａは、連結突起２２全体の長さが約３０ミリメートルである場合に、深さが約１５ミリメートルであり、図６の（ロ）で示した開口幅は、約３ミリメートルとなるものである。
【００５７】
また、この接続パイプ２３では、上述した弾性部２２ｂの外周に、特に図６の（イ）に示したように、係合部２４が形成してあり、この係合部２４は、図４に示したように、壁側接続具１０の本体１１の背面側に形成してある係止段部１４に係合することになるものである。また、この係合部２４は、図４に示した状態から図示左方に引き抜かれることがあるものであるが、その時に、各弾性部２２ｂを壁側接続具１０側の係止段部１４によってすぼませることができるようにするために、図６の（イ）に示したように、図示右方に傾斜する傾斜面としてある。この係合部２４の、本実施形態における傾斜角度は、当該連結突起２２の軸心に対して約６０度である。
【００５８】
そして、当該パネル側接続具２０を構成している本体２１の前面側、つまり壁側接続具１０に向かう面には、図４及び図５に示したように縦溝２５が形成してあるが、この縦溝２５は、壁側接続具１０側の縦溝１５とともに形成してもよいが、これ単独で形成してもよいものである。この縦溝２５内には、壁側接続具１０側の縦溝１５と同様に、マイナスドライバーの先、専用に形成した外し具等の、先端が尖った工具のその先端が差し込まれることになるものである。
【００５９】
図８〜図１０には、壁側接続具１０の他の実施例が示してある。この壁側接続具１０は、要するに図３に示したパネル側接続具２０の２個を接続できるようにしたものであり、それぞれ合計４本づつの連結穴１２及び接続穴１３を一つの本体１１に形成したものである。勿論、壁３０内に埋設してある配管３１の本数は変えることができないから、図９及び図１０に示したように、本体１１内に分岐通路を形成しておいて、この分岐通路により、一本の配管３１に対して、往管及び復管となるべきそれぞれの２本の接続穴１３に分岐できるようにしてある。その他の構成は、前述した壁側接続具１０と同様であるので、図８〜図１０中に前述したのと同じ符号を付すことにより、他の構成の説明は省略する。
【００６０】
また、本発明に係る暖房方法、壁側接続具１０、及びパネル側接続具２０は、温水暖房パネル４０を使用して行うものであるが、この温水暖房パネル４０の一例を、図１１及び図１２に示してある。この温水暖房パネル４０は、パネル本体４２上または中に配管４１を固定的に配置したものであり、このパネル本体４２上に床仕上材４４を張り付けることにより一体化したものである。この場合、パネル本体４２の一部に収納部４３を設けておいて、この収納部４３内に、配管４１に接続される可撓性配管４１ａ、及びその先端に接続パイプ２３によって接続した本発明に係るパネル側接続具２０が出入自在に収納してあるものである。
【００６１】
【発明の効果】
以上、詳述した通り、まず、請求項１の暖房方法によれば、部屋を構成する壁３０内に前記温水のための配管３１を予め埋設しておくとともに、壁側接続具１０を、壁３０の表面あるいは壁３０に形成した配管ボックス内に露出する前方部分となる本体１１と、壁３０内に完全に埋設されることになる後方部分と、これらの後方部分及び本体１１を連結する部分とにより構成して、後方部分及び連結部分を本体１１より小さくすることによって本体１１の背面側に空間１６を形成しておいて、壁３０内の配管３１を、壁３０内に埋設した壁側接続具１０の後方部分に接続する一方、温水暖房パネル４０の配管４１に接続してあるパネル側接続具２０の連結突起２２の先端を壁側接続具１０の連結穴１２に挿入してから壁側接続具１０の空間１６内に突出させることにより、パネル側接続具２０を前壁側接続具１０に接続して、壁３０内の配管３１と温水暖房パネル４０内の配管４１とを連通させるようにしたことにその特徴があり、これにより、壁３０内の配管３１から温水暖房パネル４０に温水を簡単に供給することができて、温水暖房パネル４０を配置した部屋の暖房を非常に簡単な施工で行うことができて、パネル化した温水暖房パネル４０を使用した暖房を、簡単に行えるようにすることができるのである。
【００６２】
また、請求項２に係る壁側接続具１０は、壁側接続具１０を、壁３０の表面あるいは壁３０に形成した配管ボックス内に露出する前方部分となる本体１１と、壁３０内に完全に埋設されることになる後方部分１０ａと、これらの後方部分１０ａ及び本体１１を連結する部分１０ｂとにより構成するとともに、後方部分１０ａ及び連結部分１０ｂを本体１１より小さくすることにより本体１１の背面側に空間１６を形成したものとして、本体１１に、内端が壁３０内の配管３１に接続されて、外端が部屋側面にて露出する接続穴１３と、これらの接続穴１３と平行で内端側に空間１６を有する状態で形成されるとともに、外端側が部屋側面にて露出する連結穴１２とを設けて、これらの連結穴１２に温水暖房パネル４０側に接続されているパネル側接続具２０の連結突起２２を挿入連結したとき、この連結突起２２の先端を壁側接続具１０の空間１６内に突出させて拡開させることにより壁側接続具１０の背面に係合させるとともに、当該壁側接続具１０の接続穴１３がパネル側接続具２０の接続パイプ２３内に連通して、温水暖房パネル４０内の配管４１と壁３０内の配管３１とを接続し得るようにしたこと
にその特徴があり、これにより、これらの連結穴１２に温水暖房パネル４０側に接続されているパネル側接続具２０の連結突起２２を挿入連結したとき、当該壁側接続具１０の接続穴１３がパネル側接続具２０の接続パイプ２３内に連通して、温水暖房パネル４０内の配管４１と壁３０内の配管３１とを接続することができるのであり、壁内の配管３１と温水暖房パネル４０内の配管４１との接続を簡単に行うことのできる接続具を、簡単な構造によって提供することができるのである。
【００６３】
さらに、請求項３のパネル側接続具２０は、壁側接続具１０側の本体１１に対向することになる本体２１と、この本体２１に設けられて、内端が温水暖房パネル４０内の配管４１に接続され、外端が突出する接続パイプ２３と、これらの接続パイプ２３と平行で先端が突出する連結突起２２とを備えたことにその構成上の特徴があり、これにより、これらの連結突起２２を壁側接続具１０の連結穴１２に挿入連結したときに、当該パネル側接続具２０の接続パイプ２３が壁側接続具１０の接続穴１３内に連通して、温水暖房パネル４０内の配管４１と壁３０内の配管３１とを接続することができるのであり、壁内の配管３１と温水暖房パネル４０内の配管４１との接続を簡単に行うことのできる接続具を、簡単な構造によって提供することができるのである。
【００６４】
そして、請求項４〜請求項８に係る発明は、上述したように構成したことにその特徴があり、これにより、上述したのと同様な効果を発揮することができて、接続のやり直しをも簡単に行うことのできる接続具１０または２０を提供することができるのである。
【図面の簡単な説明】
【図１】本発明を実施した部屋の様子を示す部分斜視図である。
【図２】本発明を実施した建物の概略を示す部分断面図である。
【図３】本発明に係る壁側接続具及びパネル側接続具であって、その接続前の概略を示す透視斜視図である。
【図４】同壁側接続具にパネル側接続具を接続した状態を示す横断面図である。
【図５】同パネル側接続具を示すもので、（イ）はその横断面図、（ロ）は本体の断面図、（ハ）は接続パイプの横断面図である。
【図６】パネル側接続具を構成している連結突起２２を示すもので、（イ）は拡大平面図、（ロ）は右側面図である。
【図７】壁側接続具を示すもので、（イ）は連結穴の中心で見た横断面図、（ロ）は縦断面図である。
【図８】壁側接続具の他の実施例で、パネル側接続具との関係とともに示した透視斜視図である。
【図９】図８に示した壁側接続具に、図３に示したパネル側接続具の２個を接続したときの横断面図である。
【図１０】図８に示した壁側接続具の縦断面図である。
【図１１】本発明に係る暖房方法、壁側接続具、及びパネル側接続具を実施するに当たって使用される温水暖房パネルの一例を示す横断平面図である。
【図１２】同温水暖房パネルの拡大縦断面図である。
【符号の説明】
１０    壁側接続具
１１    本体
１１ａ  壁内固定穴
１２    連結穴
１３    接続穴
１４    係止段部
１５    縦溝
１６    空間
２０    パネル側接続具
２１    本体
２２    連結突起
２２ａ  切れ込み空間
２２ｂ  弾性部
２３    接続パイプ
２３ａ  パッキング
２４    係合部
２５    縦溝
２６    段部
２６ａ  止めワッシャ
３０    壁
３１    配管
４０    温水暖房パネル
４１    配管
４１ａ  可撓性配管
４２    パネル本体
４３    収納部
４４    床仕上材
５０    ボイラー
【図１】
0003574922.tif 000002
【図２】
0003574922.tif 000003
【図３】
0003574922.tif 000004
【図４】
0003574922.tif 000005
【図５】
0003574922.tif 000006
【図６】
0003574922.tif 000007
【図７】
0003574922.tif 000008
【図８】
0003574922.tif 000009
【図９】
0003574922.tif 000010
【図１０】
0003574922.tif 000011
【図１１】
0003574922.tif 000012
【図１２】
0003574922.tif 000013